(57)【要約】グリセロールを含有する物質混合物のプロパノールへの固定床反応器（２）中における触媒変換のための方法、装置、触媒、及び触媒を製造するための方法に関するものであり、触媒の基材は無機材料及び／又は金属酸化物を有し、基材は１０〜２５Å、好ましくは１２〜２０Å、特に好ましくは１５Åの表面における孔径を有する。
2021516608.tif 000002
【特許請求の範囲】
【請求項１】
触媒の基材が無機材料及び／又は金属酸化物を含み、基材が１０〜２５Å、好ましくは１２〜２０Å、特に好ましくはおおよそ１５Åの表面における孔径を備えることを特徴とする、グリセロールを含有する物質混合物のプロパノールへの固定床反応器（２）中における触媒変換のための方法。
【請求項２】
触媒がシリコタングステン酸又はリンタングステン酸を含むことを特徴とする、請求項１に記載の方法。
【請求項３】
基材が押出ペレット、好ましくはセラミックであることを特徴とする、請求項１又は２に記載の方法。
【請求項４】
グリセロールを含有する物質混合物の反応が固定床反応器（２）中で連続的に行われ、好ましくは固定床反応器（２）が単段式であることを特徴とする、請求項１〜３のいずれか１項に記載の方法。
【請求項５】
シリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウムが、触媒の基材として使用され、好ましくは触媒が白金のドープを含むことを特徴とする、請求項１〜４のいずれか１項に記載の方法。
【請求項６】
グリセロールを含有する物質混合物が粗製グリセロール、工業用グリセロール又は純化グリセロールであることを特徴とする、請求項１〜５のいずれか１項に記載の方法。
【請求項７】
以下の工程：
貯蔵コンテナ（３）からグリセロールを含有する物質混合物を取り出す工程、
グリセロールを含有する物質混合物をろ過し、好ましくは、物質混合物に含有される未溶解の固体及び／又は希釈された付随する物質を除去する工程、及び／又は
混合器（５）中で、グリセロールを含有する物質混合物を水と混合し、好ましくは、グリセロールの濃度を５〜８０％、特に好ましくは１０〜６０％、より一層好ましくは１５〜５０％に調整する工程
のうち１つ又は複数を含むことを特徴とする、請求項１〜６のいずれか１項に記載の方法。
【請求項８】
以下の工程：
グリセロールを含有する物質混合物を熱交換器（６）、好ましくはエコノマイザーを用いて加熱する工程、
グリセロールを含有する物質混合物に、好ましくは静的な混合器（７）中で水素を添加する工程、
方法がおおよそ断熱となるように、反応前のグリセロールを含有する物質混合物への熱輸送のために、固定床反応器（２）中で反応した物質混合物の熱を熱交換器（６）に戻す工程
のうち１つ又は複数を含むことを特徴とする、請求項１〜７のいずれか１項に記載の方法。
【請求項９】
水素が、固定床反応器（２）中で反応した物質混合物から分離装置（９）によって回収されて、好ましくは、回収された水素が、次いでコンプレッサー（１０）中で再圧縮されて、新しい水素に追加されて、特に好ましくは、水素混合物が方法中のより速い時点において使用されて、より一層好ましくは、回収された水素が、方法において使用される合計の水素の５０〜９９％、好ましくは７０〜９７％の割合を有することを特徴とする、請求項１〜８のいずれか１項に記載の方法。
【請求項１０】
プロパノール、好ましくは１−プロパノールと２−プロパノールとの両方が、固定床反応器（２）中で反応した物質混合物から、好ましくは固定床反応器（２）中で反応した物質混合物から処理カスケード（ｔｒｅａｔｍｅｎｔ  ｃａｓｃａｄｅ）（１１）によって水を最初に除去して純粋なプロパノールを得ることによって得られて、分離されたプロセス水が水混合器（１２）中で新しい水に追加されて、水混合物が、特に好ましくは方法のより速い時点において、特に混合器（５）中で混合するために使用されて、より一層好ましくは、回収されたプロセス水が、方法において使用される合計の水の８０〜１００％、好ましくは９０〜１００％の割合を有すること、及び／又は
固定床反応器（２）中で反応した物質混合物から、より長い鎖の炭化水素を作る、好ましくはオリゴマー化すること
を特徴とする、請求項１〜９のいずれか１項に記載の方法。
【請求項１１】
反応が、固定床反応器（２）中で、１５０〜３００℃、好ましくは１９０〜２５０℃、特に好ましくは２１０〜２３０℃の温度で行われることを特徴とする、請求項１〜１０のいずれか１項に記載の方法。
【請求項１２】
反応が、固定床反応器（２）中で、１０〜１００ｂａｒ、好ましくは１５〜７５ｂａｒ、特に好ましくは２５〜５０ｂａｒの圧力で行われることを特徴とする、請求項１〜１１のいずれか１項に記載の方法。
【請求項１３】
グリセロール、好ましくは粗製グリセロールを含有する物質混合物のプロパノールへの固定床反応器（２）中における触媒変換のための装置（１）であって、触媒の基材が無機材料及び／又は金属酸化物を含み、基材が１０〜２５Å、好ましくは１２〜２０Å、特に好ましくはおおよそ１５Åの表面における孔径を備え、好ましくは、基材が押出ペレットであり、好ましくはセラミックであることを特徴とする、装置（１）。
【請求項１４】
触媒がシリコタングステン酸又はリンタングステン酸を含むことを特徴とする、請求項１３に記載の装置（１）。
【請求項１５】
触媒の基材がシリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウム、並びに好ましくは白金のドープを含み、好ましくは、固定床反応器（２）が連続的な操作に適していることを特徴とする、請求項１３又は１４に記載の装置（１）。
【請求項１６】
グリセロールを含有する物質混合物のための貯蔵コンテナ（３）、
グリセロールを含有する物質混合物中に含有される未溶解の固体及び／又は望ましくない付随する物質を除去するための、ろ過装置（４）、
グリセロールを含有する物質混合物を水で希釈するための第一の混合器（５）、
グリセロールを含有する物質混合物を加熱するための熱交換器（６）、好ましくはエコノマイザー、
グリセロールを含有する物質混合物に水素を添加するための、好ましくは静的な第二の混合器（７）、
固定床反応器中で反応した物質混合物を熱交換器に戻すためのライン（８）、
固定床反応器（２）中で反応した物質混合物から水素を回収するための分離装置（９）、及び好ましくは、回収された水素を圧縮するためのコンプレッサー（１０）、及び／又は
純粋なプロパノール留分を得るための、及び好ましくは、水混合器（１２）中で新しい水と混合するために固定床反応器（２）中で反応した物質混合物からプロセス水を回収するための、好ましくは、このようにして得られた水混合物を混合器（５）に供給する、処理カスケード（１１）
を含むことを特徴とする、請求項１３〜１５のいずれか１項に記載の装置（１）。
【請求項１７】
触媒の基材が無機材料及び／又は金属酸化物を含み、基材が１０〜２５Å、好ましくは１２〜２０Å、特に好ましくはおおよそ１５Åの表面における孔径を備えることを特徴とする、グリセロールを含有する物質混合物のプロパノールへの固定床反応器（２）中における触媒変換のための触媒。
【請求項１８】
触媒がシリコタングステン酸又はリンタングステン酸を含むことを特徴とする、請求項１７に記載の触媒。
【請求項１９】
基材が押出ペレットであり、好ましくはセラミックであり、
好ましくは、触媒の基材がシリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウム、並びに好ましくは白金のドープを含むか、及び/又は
触媒が固定床反応器（２）の連続的な操作に適している
ことを特徴とする、請求項１７又は１８に記載の触媒。
【請求項２０】
触媒の基材が無機材料及び／又は金属酸化物を含み、触媒の基材の製造のためのベース材料が１０〜２５Å、好ましくは１２〜２０Å、特に好ましくはおおよそ１５Åの表面における孔径を備えることを特徴とする、グリセロールを含有する物質混合物のプロパノールへの固定床反応器中における触媒変換のための触媒を製造するための方法。
【請求項２１】
シリコン、タングステン、ジルコニウム及び／又はアルミニウムの混合酸化物、好ましくは二酸化ジルコニウム、アルミノケイ酸塩及び／又はアルミノリン酸塩ゼオライト、好ましくはＶＦＩゼオライト及び／又はＶＰＩ−５ゼオライト、及び／又は二酸化アルミニウムが、基材のためのベース材料として使用されることを特徴とする、請求項２０に記載の方法。
【請求項２２】
触媒の基材が無機材料及び／又は金属酸化物を含み、触媒の基材の製造のためのベース材料がＵＳＹゼオライトを含み、触媒の基材が１０〜２５Å、好ましくは１２〜２０Å、特に好ましくはおおよそ１５Åの表面における孔径を備えるように、ＵＳＹゼオライトが脱アルミニウム化されることを特徴とする、グリセロールを含有する物質混合物のプロパノールへの固定床反応器中における触媒変換のための触媒を製造するための方法。
【請求項２３】
基材にシリコタングステン酸又はリンタングステン酸が提供されることを特徴とする、請求項２０〜２２のいずれか１項に記載の方法。
【請求項２４】
触媒の製造が以下の工程：
有機バインダーを組み込む工程であって、有機バインダーが後に実質的に残余物なく燃やされ、好ましくは、有機バインダーがベース材料中に組み込まれ、好ましくは、ベース材料が粉末形態であり、次いで、これらが均一に混練されてベース化合物を形成し、ポリマー、好ましくはポリスチレンと水との、好ましくは分散体、特に好ましくはナノ分散体が有機バインダーとして使用され、好ましくは、分散体のポリマー含有量が５ｗｔ％より少なく、特に好ましくは１ｗｔ％より少ない工程、
好ましくは、５〜１２０ｂａｒ、特に好ましくは２０〜１００ｂａｒ、より一層好ましくは４０〜８０ｂａｒの圧力の下で、１〜８ｍｍ、好ましくは２〜６ｍｍ、特に好ましくは３〜４ｍｍの直径に、及び／又は０．２５〜４ｃｍ、好ましくは０．４〜３ｃｍ、特に好ましくは０．５〜２ｃｍの長さにペレットを押し出して、好ましくは、４００〜１０００℃、好ましくは５００〜７５０℃、より一層好ましくはおおよそ６００℃の温度で、２４〜１６８ｈ、好ましくは３６〜９６ｈ、より一層好ましくはおおよそ４８ｈの期間、ペレットを調整する工程、
１０００ｇの基材材料当たり、好ましくは、０．５〜３Ｌ、好ましくはおおよそ１．５Ｌの、１５〜３００ｍｍｏｌ／Ｌ、好ましくはおおよそ７５ｍｍｏｌ／ＬのＨ2ＰｔＣｌ6・６Ｈ2Ｏの水溶液を用いて、押し出しされた基材に白金を含浸させて、好ましくは次いで、６０℃〜１２０℃、好ましくはおおよそ９０℃で乾燥して、好ましくは次いで、６〜２４ｈ、好ましくはおおよそ１２ｈの間、２５０〜４５０℃、好ましくはおおよそ４００℃で焼成する工程、及び／又は
白金をドープした基材に、０．５〜３Ｌ、好ましくはおおよそ１．５Ｌの、２５〜１００ｍｍｏｌ／Ｌ、好ましくはおおよそ５０ｍｍｏｌ／Ｌの、脱水触媒の表面固定のための水性シリコタングステン酸を含浸させて、好ましくは次いで、６０℃〜１２０℃、好ましくはおおよそ９０℃で乾燥して、好ましくは次いで、２５０〜４５０℃、好ましくはおおよそ３５０℃で、６〜２４ｈ、好ましくはおおよそ１２ｈの間、焼成する工程
のうち１つ又は複数を含むことを特徴とする、請求項２０〜２３のいずれか１項に記載の方法。
【発明の詳細な説明】
【技術分野】
【０００１】
本発明は、グリセロールを含有する物質混合物のプロパノールへの固定床反応器中における触媒変換のための方法及び装置に関するものであり、触媒の基材は無機材料及び／又は金属酸化物を含む。さらに、本発明は、触媒、及びグリセロールを含有する物質混合物のプロパノールへの固定床反応器中における触媒変換のための触媒を製造するための方法に関するものであり、触媒の基材は無機材料及び／又は金属酸化物を含む。
【背景技術】
【０００２】
産業化及び現代化のために、エネルギーのための、特に燃料のための要求は、長期間にわたって増加してきている。この理由のために、多くの指令が発行され、例えば欧州連合（ＥＵ）によって、化石燃料からの温室効果ガスの排出を削減する指令が発行されてきた。化石燃料は再生可能エネルギーによって部分的に取って代わられている。ＥＵでは、例えば、再生可能エネルギー指令の現行の改正されたバージョン（ＲＥＤ  ＩＩ）によって、このことが規制されていて、ＲＥＤ  ＩＩはエネルギーの１４％の割合が再生可能な原材料に由来しなければならないことを規定している。さらなる目標は、指令中で明示される原材料の限定的なリストから製造することが許可されるバイオ燃料のみを用いて、輸送分野における燃料に、２０２２年から０．２ｅ％（エネルギーパーセント）、２０２５年から１ｅ％、及び２０３０年には３．５ｅ％の量の高度なバイオ燃料（ａｄｖａｎｃｅｄ  ｂｉｏｆｕｅｌｓ）を追加することである。高度なバイオ燃料の利点は、高度なバイオ燃料は直接的には食糧生産と競合しないこと、及びそれゆえに減少した間接的土地利用変化（ＩＬＵＣ）しかもたらさないことである。現在は、これらの成分の製造のためのごく少数の産業的方法しかない。そのプロセスの多くは、小規模に試験されるのみであり、それゆえにこの種類の成分は高価であり、十分な量を獲得するのは困難である。
【０００３】
粗製グリセロールは、ＥＵの指令によってリストに挙げられる出発材料である。バイオディーゼル製造から、約１０ｗｔ％のグリセロールが、副生成物として粗製グリセロールの形態で得られる。粗製グリセロールは、通常、プロセスに関係する理由のために、塩化ナトリウム、水、メタノール、硫酸、モノグリセリド、ジグリセリド、灰、分離が十分でない脂肪残余物及び他の物質によって汚染される。用語「粗製グリセロール」（ｃｒｕｄｅ  ｇｌｙｃｅｒｏｌ）は、本発明の意図の中で、少なくとも６０ｗｔ％のグリセロール分を有し、加えて１〜１０ｗｔ％のミネラル分、すなわちカチオン分、例えばナトリウム、カリウム、カルシウム、マグネシウム、塩素及びリン、並びに５ｗｔ％より多い水分もまた有する液体混合物を意味すると理解される。粗製グリセロールは、とりわけその好都合な価格、液性及び良好な入手しやすさのために、高度なバイオ燃料の製造に有意に貢献する大きな発展性を有する。エネルギーの観点から、対応するモノアルコール、すなわち１−プロパノール（ｎ−プロパノール）及び／又は２−プロパノール（イソプロパノール）を、グリセロール（プロパン−１，２，３−トリオール）から、化学量論に基づいて製造することが最も有利である。加えて、高度なバイオプロパノールの一層高いエネルギー密度のために、高度なバイオエタノールを用いる場合より、混和成分として比較的少ない量が要求される。高度なバイオプロパノールの製造のための最も見込みがある出発材料は、バイオディーゼル製造の副生成物としての粗製グリセロールである。
【０００４】
高価値の又は有用な化学物質へのグリセロールの変換のための多くの様々なプロセス、例えばグリセロールの、酸化、エステル化及び水素化分解が、既に試験及び分析されてきた。
【０００５】
例えば、米国特許第８５０７７３６号明細書は、グリセロールから短鎖のアルコールを製造するための方法を示していて、短鎖のアルコールがバイオディーゼル製造の副生成物として製造される。具体的には、生成物流（ｐｒｏｄｕｃｔ  ｓｔｒｅａｍ）は、生成物流中の一価アルコールの合計の質量の５０％より多くを占めるプロパノールとともに、エタノール、メタノール及びプロパノールの混合物を含んでよい。処理は、脱水及び水素化の両方を含む単一の反応工程で行うことができる。使用される触媒は、脱水触媒と水素化触媒の混合物であってよく、脱水触媒はタングステン及びジルコニウムの酸化物を含有してよく、水素化触媒は白金族の金属を含有してよい。単一の工程での反応は約３００℃で行われる。
【０００６】
さらに、米国特許第８９４６４５８号明細書は、酸素化炭化水素を処理するための触媒、方法及び反応器システムのシリーズを開示している。特有の記載は、バイオディーゼル製造からの副生成物としてのグリセロールの応用としての使用から作られている。これから得られる生成物は、１−プロパノール及びアセトンを、他のものの中で含む。説明されている多くの様々な触媒とともに、異種の水素化脱酸素（ＨＤＯ）触媒が反応のために使用されている。ドーピングに関して、タングステン―ジルコニウム担体上に白金及びモリブデンを有する二金属の触媒を使用することができることが記載されている。１００〜３００℃の範囲が、４〜１４０ｂａｒの圧力における反応温度として与えられている。
【０００７】
欧州特許第２０１６０３７号明細書は、グリセロールを含む水性供給材料を処理するための、単一の触媒プロセスで、及びその場で発生させた水素を使用して、とりわけアルコールを、特にエタノール及びプロパノールを含むアルコールを製造する方法を示している。触媒担体は、タングステンを用いて処理されたシリコン又はジルコニウムであってよい。これに関連して、ジルコニウムの酸化物の使用がとりわけ好ましいことが記載されている。触媒はまた、遷移金属、例えば白金又はロジウムを含有してよい。方法は２つの化学工程で行われ、そのために、８０〜４００℃及び１００〜３００℃の、異なる、しかし重複する温度範囲が明示されている。
【０００８】
中国特許第１０１０５４３３９号明細書は、多くのチューブを有する固定床触媒を用いた、連続的なプロセスにおける、バイオディーゼルの副生成物であるグリセロールのｎ−プロパノールへの処理のための方法を示している。使用される触媒担体は、とりわけ活性成分として、タングステン、ロジウム、モリブデン及び白金とともに、ＺｒＯ2を含む。反応温度は、１８０〜３６０℃である。
【０００９】
さらなる方法は、例えば米国特許第８０７５６４２号明細書及び独国特許出願公開第１０２００８０２６５８３号明細書において開示されている。
【００１０】
しかし、全ての現在の利用可能な方法は、１つ又は複数の本質的な欠点を有する。通常、精製グリセロールを直接処理することが可能なだけであり、粗製グリセロール又は不純なグリセロールを直接処理することはできない。粗製グリセロールから精製グリセロールを得るために、全ての製造されたグリセロールを精製グリセロールにさらに処理することはできないが、不純物を除去せねばならない。しばしば、唯一の純化工程は、粗製グリセロールからメタノールを回収することである。多数の純化プロセスがないために、粗製グリセロールは、精製グリセロールよりかなり安価である。特に、これらの要件を十分に満たす、公知の触媒又は触媒の製造のための方法はなく、従って連続的な操作を妨げている。従来技術は、例えば塩又は硫黄を触媒に付着させる場合があり、従って触媒の有効性を減少させる。さらに、全ての方法は、複雑であるか、低い選択性若しくは低い変換速度を有するか、及び／又は実行するのに高い費用がかかるかである。
【発明の概要】
【００１１】
従って、本発明の目的は、全て又は幾つかの上で記載された欠点を克服すること、並びに特に、グリセロールの変換率及び生成物プロパノールへの選択性の両方が高い方法、装置、触媒、並びに触媒の製造のための方法を作り出すことである。別の目的は、コストのかかる予備の、純化又は調製を用いずに、粗製グリセロールを燃料又は混和可能な燃料成分にさらに処理することである。さらなる目的は、プロセスの進行の間に、触媒として活性な、しばしば容易に水に溶ける化合物が溶出するのを妨げるために、触媒として活性な化合物を触媒の基材に固定化することである。さらに、提案された方法を実験室から大規模なプラントへと十分な規模に移行することが可能であるはずであり、すなわち、提案された方法は適切な大規模化を可能とするはずである。さらに、副生成物、例えば二量体化生成物及びケトンの生成が制限される条件が達成されるはずである。
【００１２】
このことは、触媒の基材が１０〜２５Å、好ましくは１２〜２０Å、特に好ましくはおおよそ１５Åの表面における孔径を備える、上で説明された、グリセロールを含有する物質混合物をプロパノールに変換するための方法及び装置によって達成される。さらに、このことは、触媒の基材が１０〜２５Å、好ましくは１２〜２０Å、特に好ましくはおおよそ１５Åの表面における孔径を備える、上で説明された、グリセロールを含有する物質混合物をプロパノールに変換するための触媒によって、及び触媒の基材の製造のためのベース材料が１０〜２５Å、好ましくは１２〜２０Å、特に好ましくはおおよそ１５Åの表面における孔径を備えるか、又は触媒の基材の製造のためのベース材料がＵＳＹゼオライトを含むかである、上で説明された、グリセロールを含有する物質混合物をプロパノールに変換するための触媒を製造するための方法によって達成され、触媒の基材が１０〜２５Å、好ましくは１２〜２０Å、特に好ましくはおおよそ１５Åの表面における孔径を備えるように、ＵＳＹゼオライトは脱アルミニウム化される。前記孔径はまた、基材の内側に、又はその一部に提供されてもよい。
【００１３】
試験は、この製造方法によって、及び前記孔のサイズを有する基材を選択することによって、触媒として活性な、その他の点では、通常は高い水溶性を有する物質、例えばシリコタングステン酸は、触媒基材によく固定化されていることを示した。このことは、例えば液体、液相中で起こる反応の場合、例えば２５〜２５ｂａｒの圧力の下で、触媒、特に脱水触媒は水和、すなわち水に溶解すること、によって溶解することはできず、安定して固定化されたままであり、従って、活性中心は自由にアクセス可能であり、水性反応にもかかわらず保持されることを意味する。
【００１４】
有利には、反応は単一の工程で起こるべきである。先行研究は、反応において、脱水に次いで水素化がなければならないため、結合された触媒システムが必要であることを示唆した。それゆえに、反応を単一の工程で行うことができるように、２つの異なる触媒の系を１つの基材に結合することは有利である。触媒として活性な物質、特に脱水触媒、例えばシリコタングステン酸は、一方では物理化学的相互作用、おそらくは吸着のファンデルワールス力のために、並びに他方では理想的な孔径及びその孔径に由来する触媒として活性な物質の影響の受けにくさのために、最も有望である。さらに、触媒として活性な物質、特に脱水触媒は、その分子サイズのために、特に粗い孔中で付着が起こるとともに、好ましくは表面の近くに付着され、水素化触媒とは対照的に、脱水触媒は基材中にさらに進んで入り込むことができない。
【００１５】
グリセロールを含有する物質混合物をプロパノールに変換するための方法に関して、使用される触媒の基材が押出ペレット、好ましくはセラミックである場合、そのことは有利である。有利には、触媒ペレットの押し出し及び続く調整によって、有機バインダーは基材表面でほとんど残余物無く揮発して、ペレットは対応する強度を獲得する。
【００１６】
好ましくは、グリセロールを含有する物質混合物のプロパノールへの変換は、固定床反応器中で、上で説明された触媒を用いて連続的に行われる。このようにして、可能な限り高いグリセロールの処理量を達成することができ、加えて、８５％超の、プロパノールへの非常に高い変換率を達成することができる。触媒の特殊な基材によって可能となる、その他の点では水溶性である脱水触媒の固定化によって、触媒活性はこの高いレベルで長期間維持され、触媒はインターバルを変化させ、従ってプラントの中断時間を最小に減少させる。固定床反応器は好ましくは単段式である。
【００１７】
方法の好ましい異なる形において、シリコン、タングステン、ジルコニウム及び／又はアルミニウムの混合酸化物、好ましくは二酸化ジルコニウム、（好ましくは合成アルミノケイ酸塩及びアルミノリン酸塩）ゼオライト、好ましくはＶＦＩゼオライト又はＶＰＩ−５ゼオライト、脱アルミニウム化されたＵＳＹゼオライト及び／又は二酸化アルミニウムが触媒のための基材として使用される。このような基材は、試験シリーズの進行に対して特に好都合であると判明した。
【００１８】
触媒が白金のドープを含む場合、そのことはまた有利である。従来技術によれば、触媒として活性な第二の触媒物質として白金を基材に固定化することに問題はない。現在の従来技術によれば、ＺｒＯ2は、グリセロールのプロパノールへの変換のための有利な触媒ではないが、しかし触媒のための担体材料としては、ＺｒＯ2は、その高い熱安定性、高い硬度及び還元条件下での良好な安定性のために多くの反応で有利である。酸性中心は、おそらく脱水工程のために必要であり、脱水工程の中で、アセトール及び３−ヒドロキシプロピオンアルデヒドは生成し得るグリセロールの生成物である。リンタングステン酸もまた、脱水工程を可能とするものである場合がある。有利には、金属触媒は中間生成物の水素化の要因である。貴金属、例えば白金は、おそらく水素分子を活性化するために、水素化触媒であることが知られている。ルテニウムもまた、他の触媒ほどには硫黄に対して感受性がないため、水素触媒であり得る。卑金属（非貴金属）、例えば銅又はニッケルもまた、水素触媒であり得る。一般に、触媒は、酸性中心と水素化中心（ｈｙｄｒｏｇｅｎａｔｉｏｎ  ｃｅｎｔｒｅｓ）との最適な比を含むべきであり、有利には、触媒被毒に対して可能な限り抵抗するものであるべきである。基材に加えて、好ましくは、触媒の組成物は０．５〜５ｗｔ％、好ましくは１〜３ｗｔ％、特に好ましくはおおよそ１．５ｗｔ％の、白金、ルテニウム、銅又はニッケルの割合、及び５〜２０ｗｔ％、好ましくは７．５〜１５ｗｔ％、特に好ましくはおおよそ１２ｗｔ％のシリコタングステン酸又はリンタングステン酸の割合からなる。
【００１９】
出発材料として、すなわちグリセロールを含有する物質混合物として、粗製グリセロール、工業用グリセロール及び／又は純化グリセロールを使用することが可能である。粗製グリセロールが使用される場合、粗製グリセロールは低価格を特徴とし、様々な方法の副生成物であるために、そのことは特に有利である。さらに、高度なバイオ燃料のための（法的な）ガイドラインは、とりわけ指令（ＥＵ）２０１５／１５１３、付属書類ＩＸ、パートＡ、「ＲＥＤ  ＩＩ］としてもまた知られる指令によれば、通常は粗製グリセロールのみを含む。グリセロール含有量及び不純物の割合に関して、工業用グリセロールは、粗製グリセロールと純化グリセロールの間である。
【００２０】
好ましくは、方法の第一の工程において、グリセロールを含有する物質混合物は、貯蔵コンテナから取り出され、有利には、ろ過され、グリセロールを含有する物質混合物の質に応じて、特に汚染の程度に応じて物質混合物に含有される、任意の未溶解の固体及び望ましくない付随する物質を特に除去する。グリセロールを含有する物質混合物は、この工程の前又は後に、任意選択で遠心分離されてよい。好ましくは次いで、（好ましくは前処理された）グリセロールを含有する物質混合物は水と混合及び希釈され、好ましくは、グリセロール含有量は５〜８０％、特に好ましくは１０〜６０％、より一層好ましくは１５〜５０％に調整され、所望の生成物の収率構造（ｙｉｅｌｄ  ｓｔｒｕｃｔｕｒｅ）に応じて、グリセロール含有量は、化学量論的に可能な、最終生成物における１−プロパノールの所望の濃度（物質の量）の０．７〜０．９倍に調節される。この工程が行われた場合、下で、グリセロールを含有する物質混合物は、この工程で得られた、元々の（好ましくは前処理された）グリセロールを含有する物質混合物と水との混合物をいう。
【００２１】
有利な方法の工程において、好ましくは、グリセロールを含有する物質混合物は、好ましくは１５０〜３００℃、特に好ましくは１９０〜２５０℃、より一層好ましくはおおよそ２２０℃で、熱交換器、好ましくは準断熱反応の実行のためのエコノマイザーを用いて加熱される。好ましくは、水素は、グリセロールを含有する物質混合物に、好ましくは静的な混合器中で添加され、化学量論的に可能な、最終生成物における１−プロパノールの所望の濃度（物質の量）の１０〜６０倍より過剰に水素は調整される。
【００２２】
この工程が行われた場合、グリセロールを含有する物質混合物は、（任意の先の添加及び純化に加えて）水素と混合された物質混合物をいう。
【００２３】
次いで、グリセロールを含有する物質混合物は、好ましくは連続的な触媒固定床反応器を通過する。好ましくは、プロセス流体（グリセロールを含有する反応した物質混合物）は、固定床反応器の後に、熱の投入のために熱交換器に導かれる。有利には、プロセスの熱からのエネルギーは、固定床反応器中での反応の前にグリセロールを含有する物質混合物の余熱を確実にするのに十分であり、すなわち（プラントを始動させるときを除いて）外部の反応エネルギーを与える及び／又は除去する必要がなく、従って反応は有利なことに断熱である。
【００２４】
有利には、次いで、プロセス中間体は、元々の圧力の、好ましくは０．２〜０．０２倍、特に好ましくは０．１〜０．０３倍、より一層好ましくはおおよそ０．０４倍に膨張する。好ましくは次いで、水素は反応した物質混合物から分離装置によって回収され、回収された水素はコンプレッサーによって再圧縮されて、固定床反応器中での反応の前に物質混合物に添加された新しい水素に追加される。反応のために使用される水素の合計の量に対する回収された水素の割合は、好ましくは５０〜９９％、特に好ましくは７０〜９７％である。
【００２５】
さらに有利な方法の工程において、有機目標留分は、好ましくは物理的に、特に好ましくは蒸留によって、反応した物質混合物から得ることができ、すなわち、含有され、かつ副生成物として形成されるプロセス水が除去され、純粋なプロパノールが得られる。好ましくは、１−プロパノールと２−プロパノールとの両方が得られる。好ましくは、生成物流は１０〜２２ｗｔ％の２−プロパノール及び６０〜８５ｗｔ％の１−プロパノール、例えば２０ｗｔ％の２−プロパノール及び７０ｗｔ％の１−プロパノールを含有する。一方で、２つの内１つのみもまた得ることができる。好ましくは、１−プロパノール及び／又は２−プロパノールは、処理カスケード（ｔｒｅａｔｍｅｎｔ  ｃａｓｃａｄｅ）によって固定床反応器中で反応した物質混合物から水を最初に除去して純粋なプロパノールを得ることによって得られ、分離されたプロセス水は水混合器、通常は従来型の混合器中で新しい水に追加され、水混合物は、特に好ましくは方法中のより速い時点において、特に混合器中で混合するために使用され、より一層好ましくは、回収されたプロセス水は、方法において使用される合計の水の８０〜１００％、好ましくは９０〜１００％の割合を有する。代わりに又は加えて、得られた有機目標留分もまた、さらなる方法の工程において、より長い鎖の炭化水素を作り上げるために、すなわち、それらをオリゴマー化するために、使用することができる。
【００２６】
好ましくは、反応は、固定床反応器中で、１５０〜３００℃、好ましくは１９０〜２５０℃、特に好ましくは２１０〜２３０℃の温度で行われる。実験は、より低い温度では変換率が低く、一方で、高い温度はプロパノールについてより低い選択性をもたらし、記載された温度間隔で、とりわけ２１０〜２３０℃の間隔で、エネルギー入力と変換率と選択性との間の最適な比に関して、効率は良好であることを示した。
【００２７】
好ましい異なる形において、変換は、固定床反応器中で、１０〜１００ｂａｒ、好ましくは１５〜７５ｂａｒ、より一層好ましくは２５〜５０ｂａｒの圧力で行われ、これは、先述の条件の下で、特に良好な効率がまた達成されるからである。
【００２８】
特に、本発明による方法の結果として得られる生成物流は０．１〜５ｗｔ％のメタノール（ＭｅＯＨ）、３〜６ｗｔ％のエタノール（ＥｔＯＨ）、１０〜２２ｗｔ％の２−プロパノール、３〜６ｗｔ％のアセトン及び６０〜８５ｗｔ％の１−プロパノールを含む。０．０５ｗｔ％より少ない生成物中のグリセロール含有量が、好ましくは達成される。
【００２９】
１つの実施態様において、粗製グリセロールが使用され、その化学分析は以下の組成を示した。
Ｎａ：０．１３ｗｔ％
Ｃａ：＜０．０１ｗｔ％
Ｋ：０．６１ｗｔ％
Ａｌ：＜０．００１ｗｔ％
Ｓｉ：＜０．００１ｗｔ％
Ｆｅ：０．０００４ｗｔ％
Ｃｒ：＜０．０００１ｗｔ％
Ｎｉ：＜０．０００１ｗｔ％
Ｓ：０．５４４８ｗｔ％
Ｃｌ：＜０．０００１ｗｔ％
Ｖ：＜０．００１ｗｔ％
Ｚｎ：＜０．００１ｗｔ％
炭素：３２．３０ｗｔ％
水素：９．８０ｗｔ％
水：１４．０ｗｔ％
グリセロール含有量：７９．９ｗｔ％
酸価：０．４５ｍｇ  ＫＯＨ／ｇ
【００３０】
この実施態様において、処理は０．８０ｈ-1の毎時重量空間速度（ＷＨＳＶ）で、３３ｍｏｌ／ｍｏｌの水素／グリセロールの比で、反応器より高い温度に分布する２１８〜２２５℃の温度である２２０℃の平均反応温度で、及び５０ｂａｒの圧力で行った。このことは、以下の生成物組成を結果としてもたらした。
メタノール：０．３ｗｔ％
エタノール：５．６ｗｔ％
２−プロパノール：１３．９ｗｒ％
アセトン：５．５ｗｔ％
１−プロパノール：７４．６ｗｔ％
【００３１】
他の分析物を追跡すると、無機構成要素及び水は抽出蒸留によって除去されていた。
【００３２】
変換率は、ＷＨＳＶ又は水素／グリセロールのモル比、及び温度に依存する。例として以下の変換率が達成される。
【００３３】
例１：ＷＨＳＶ：０．０７ｈ-1；水素／グリセロールの比：１３３ｍｏｌ／ｍｏｌ
【表１】
2021516608.tif 000003
【００３４】
例２：ＷＨＳＶ：０．０７ｈ-1；水素／グリセロールの比：６６ｍｏｌ／ｍｏｌ
【表２】
2021516608.tif 000004
【００３５】
例３：ＷＨＳＶ：０．１５ｈ-1；水素／グリセロールの比：３２ｍｏｌ／ｍｏｌ
【表３】
2021516608.tif 000005
【００３６】
例４：ＷＨＳＶ：０．２１ｈ-1；水素／グリセロールの比：３３ｍｏｌ／ｍｏｌ
【表４】
2021516608.tif 000006
【００３７】
変換率（ｉｎ％）は、（グリセロール（インプット）−グリセロール（アウトプット））／グリセロール（アウトプット）・１００として計算した。より高い温度は、より高い変換率に有利に働く。同様に、より高いモル比は、より高い変換率に有利に働く。８０ｗｔ％より多い、好ましくは９０ｗｔ％より多いグリセロールをプロパノールに変換することができる。
【００３８】
グリセロールを含有する物質混合物のプロパノールへの固定床反応器中における触媒変換のための、本発明による装置に関して、触媒の基材が好ましくはセラミックの押出ペレットである場合、そのことは有利である。
【００３９】
さらに、触媒の基材がシリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウムである場合、そのことは有利である。基材が白金のドープを含む場合、そのことはまた有利である。固定床反応器は、より一層好ましくは連続的な操作に適している。
【００４０】
好ましくは、装置は、以下のオブジェクト：
−グリセロールを含有する物質混合物のための貯蔵コンテナ、
−グリセロールを含有する物質混合物中に含有される未溶解の固体及び／又は望ましくない付随する物質を除去するための、ろ過装置、
−グリセロールを含有する物質混合物を水で希釈するための第一の混合器、
−グリセロールを含有する物質混合物を加熱するための熱交換器、好ましくはエコノマイザー、
−グリセロールを含有する物質混合物に水素を添加するための、好ましくは静的な第二の混合器、
−固定床反応器中で変換された物質混合物を熱交換器に戻すためのライン、
−固定床反応器中で反応した物質混合物から水素を回収するための分離装置、及び好ましくは、出発水素に供給することができ、出発水素と混合することができる回収された水素を圧縮するための、コンプレッサー、
−有利には、混合器中のグリセロールを含有する希釈された物質混合物の製造のための再使用のために、抽出剤によって純粋なプロパノールとプロセス水とを分離し、抽出回路のための抽出剤が処理カスケード中で回収され、好ましくはプロセス水もまた回収される、処理カスケード１１、
のうち１つ又は複数を含む。
【００４１】
グリセロールを含有する物質混合物のグリセロールへの固定床反応器中における触媒変換のための本発明による触媒に関して、基材、好ましくはセラミックが押出ペレットである場合、そのことは有利である。さらに、触媒の基材がシリコン、タングステン、ジルコニウム及び／又はアルミニウムの混合酸化物、好ましくは二酸化ジルコニウム、アルミノケイ酸及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウム、並びに好ましくは白金のドープを含む場合、及び／又は触媒が固定床反応器の連続的な操作に適している場合、そのことは有利である。
【００４２】
グリセロールを含有する物質混合物のプロパノールへの固定床反応器中における触媒変換のための触媒を製造するための本発明による方法に関して、最終的には、基材の表面における孔径が、その表面において、１０〜２５Å、好ましくは１２〜２０Å、特に好ましくはおおよそ１５Åとなるように、基材のベース材料が適切な孔のサイズ、１０〜２５Å、好ましくは１２〜２０Å、特に好ましくはおおよそ１５Åの、特に表面における孔径をあらかじめ備えることが必要である。ベース材料の孔径が未だ対応する範囲にない場合、ＵＳＹゼオライトの場合と同様に、適切な手段によって、特に脱アルミニウム化によって、まず孔径を適切なサイズにすることが必要である。ＵＳＹゼオライトは、超安定化（Ｙ−）ゼオライトとして知られるものである。これらは、実際には非常に小さい孔のサイズを有するが、機械的には極度に安定である。この特性は、例えば高い反応性及び固有の重量によってもたらされる圧縮負荷のために大規模化に特に関連する。これらのＵＳＹゼオライトが脱アルミニウム化される、すなわちアルミノケイ酸塩複合材の画定された部分が次いで化学的に除去される場合、孔のサイズを、特に前述の所望の基材の表面における孔径に適切に拡張することができる。要約すると、孔のサイズ、機械的安定性、及び表面の相互作用のためのポテンシャル又は例えばシリコタングステン酸の固定化のための物理吸着が、基材材料の選択のための決定的な基準である。元々は適した孔のサイズを有さないＵＳＹゼオライトの、触媒の基材の製造のためのベース材料としての使用に関して、脱アルミニウム化が錯化剤、とりわけエチレンジアミンテトラ酢酸（ＥＤＴＡ）を用いて行われる場合、そのことは有利である。
【００４３】
シリコン、タングステン、ジルコニウム及び／又はアルミニウムの混合酸化物、好ましくは二酸化ジルコニウム、アルミノケイ酸塩及び又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウムが、触媒の基材（担体材料）のためのベース材料として使用される場合、そのことは有利である。
【００４４】
好ましくは、有機バインダーは、まずベース材料中に入れられ、ベース材料は好ましくは粉末形態であり、次いで、これらは均一に混練されてベース混合物を形成し、有機バインダーは、次いで、実質的に残余物なく、特に実質的に基材表面で燃やされる。好ましくは、ポリマー、好ましくはポリスチレンと水との、分散体、特に好ましくはナノ分散体が有機バインダーとして使用され、好ましくは、分散体のポリマー含有量は５ｗｔ％より少なく、特に好ましくは１ｗｔ％より少ない。次いで、ペレットは、好ましくは５〜１２０ｂａｒ、特に好ましくは２０〜１００ｂａｒ、より一層好ましくは４０〜８０ｂａｒの圧力の下で、１〜８ｍｍ、好ましくは２〜６ｍｍ、特に好ましくは３〜４ｍｍの直径に、及び／又は０．２５〜４ｃｍ、好ましくは０．４〜３ｃｍ、特に好ましくは０．５〜２ｃｍの長さに、基礎のマス（ｂａｓｉｃ  ｍａｓｓ）から押し出され、好ましくは、ペレットは４００〜１０００℃、好ましくは５００〜７５０℃、より一層好ましくはおおよそ６００℃の温度で、２４〜１６８ｈ、好ましくは３６〜９６ｈ、より一層好ましくはおおよそ４８ｈの期間、調整される。
【００４５】
さらに、１０００ｇの基材材料当たり、好ましくは、０．５〜３Ｌ、好ましくはおおよそ１．５Ｌの、１５〜３００ｍｍｏｌ／Ｌ、好ましくはおおよそ７５ｍｍｏｌ／ＬのＨ2ＰｔＣｌ6・６Ｈ2Ｏの水溶液を含浸のために使用して、押し出された基材のペレットに白金を含浸させる場合、そのことは有利である。好ましくは次いで、ペレットは乾燥されて、これは６０〜１２０℃、好ましくはおおよそ９０℃の温度で行われる。次いで、ペレットは２５０〜４５０℃、好ましくはおおよそ３５０℃で、６〜２４ｈ、好ましくはおおよそ１２ｈの間、有利には焼成される。
【００４６】
さらに有利であるのは、これに次ぐ、白金をドープした基材への、０．５〜３Ｌ、好ましくはおおよそ１．５Ｌの、２５〜１００ｍｍｏｌ／Ｌ、好ましくはおおよそ５０ｍｍｏｌ／Ｌの脱水触媒の表面固定のための水性シリコタングステン酸の含浸、好ましくは、これに次ぐ、６０〜１２０℃、好ましくはおおよそ９０℃での乾燥、及び好ましくは、これに次ぐ、２５０〜４５０℃、好ましくはおおよそ３５０℃における、６〜２４ｈ、好ましくはおおよそ１２ｈの間の焼成である。
【００４７】
この製造方法を使用して、先に画定された孔のサイズを有する基材を選択することで、試験は、他の点では高い水溶性を有する触媒、特に脱水触媒、例えばシリコタングステン酸は、触媒基材に固定化されることを示した。このことは、液体、液相中で、及び上で記載された圧力の下で行われる反応の間、脱水触媒は水和によって溶解することはできず、安定的に固定化されたままであり、さらに活性中心は自由にアクセス可能なままであることを意味する。脱水触媒、特にシリコタングステン酸の固定化は、おそらくは、一方では（おそらくは吸着効果を有するファンデルワールス力の）物理化学的相互作用のため、並びに他方では理想的な孔径及びその孔径による水和のための脱水触媒のアクセス不可能性のためである。
【００４８】
代わりに可能なことは、続く含浸について孔径を考慮する必要がないように、脱水触媒、例えばシリコタングステン酸化物を直接的に担体材料、例えば二酸化ジルコニウム中に共押し出しをすることである。しかし、この代わりの案は非常にコストがかかり、かつ複雑であることが判明している。
【００４９】
本発明は、図面に示される好ましい実施態様に基づいて、下でさらに説明されるが、しかし、本発明は、決してそれに限定されるべきではない。図面は、具体的には以下を示す。
【図面の簡単な説明】
【００５０】
【図１】グリセロールを含有する物質混合物のプロパノールへの固定床反応器中における触媒変換のための方法及び装置の好ましい実施態様である。
【発明を実施するための形態】
【００５１】
図１は、グリセロールを含有する物質混合物のプロパノールへの固定床反応器２中における触媒変換のための装置１の好ましい実施態様を示す。特に、貯蔵コンテナ３から取り出される粗製グリセロールが出発材料として使用される。次いで、グリセロールを含有する物質混合物は、好ましくはポンプによって、ろ過装置４に供給され、ろ過装置４中でろ過され、グリセロールを含有する物質混合物の質に応じてその中に含有される場合がある任意の未溶解の固体及び望ましくない付随する物質を除去する。具体的な実施態様において、ろ過装置は２つの重複して配置されたバックフラッシュ可能（ｂａｃｋ−ｆｌｕｓｈａｂｌｅ）なろ過器からなり、好ましくは、制御バルブがそれぞれのバックフラッシュ可能なろ過器の上流に配置される。グリセロールを含有するろ過された物質混合物は、次いで、混合容器５中で水と混合されて、希釈され、結果としてもたらされるグリセロール含有量は、好ましくは１０〜６０％である。混合容器５はセーフティバルブ（圧力リリーフバルブ）を備える。
【００５２】
グリセロールを含有するろ過及び希釈された物質混合物は、次いで、エコノマイザー熱交換器６によって加熱され、グリセロールを含有する物質混合物はポンプによってエコノマイザー熱交換器６に供給され、次いで、静的な混合器７中で水素が添加され、有利には次いで、混合物は冷却器を通過する。次いで、この混合物は連続的な触媒固定床反応器２に供給され、固定床反応器２は、同様に、好ましくはセーフティバルブを備える。反応した物質混合物は、ライン８を経由して熱入力のために熱交換器６中に供給される。プロセスの廃熱のエネルギーは、グリセロールを含有するろ過及び混合された物質混合物を予熱するのに十分であり、通常は外部の反応エネルギーを与える必要がない。従って、反応は断熱である。この例外は、当然ながらスイッチオンプロセスの間である。
【００５３】
次いで、変換された物質混合物は、固定床反応器中で変換された物質混合物からの水素の回収のために、フラッシュバルブを経由して分離装置９、特に蒸気−液体分離器又はフラッシュドラムに供給される。気体流を再生利用する水素は空気冷却器を通過し、揮発性の高い有機付随成分は分離器の容器中で再濃縮される。次いで、気体流を再生利用する水素の一部は、制御バルブの下流で、副生成物気体（特に主としてプロパン）の排出のためにフレアされ、気体流を再生利用するフレアされた水素の割合は０．５％より少なく、特に好ましくは０．１％より少ない。次いで、回収された水素はコンプレッサー１０中で再圧縮されて新しい水素に追加され、グリセロールを含有する物質混合物は静的な混合器７中で水素と混合され、１つのサイクルにおける、水素投入量における再生利用された水素の割合は、好ましくは７０〜９７％である。次いで、純粋なプロパノールは、処理カスケード１１中で、反応した物質混合物から得ることができ、反応した物質混合物は熱交換器及び冷却器を経由して処理カスケード１１に供給され、抽出回路のための抽出剤は同一の処理カスケード中で回収することができ、グリセロールを含有する希釈された物質混合物の製造における再使用のためのプロセス水もまた回収され、回収されたプロセス水は水混合器１２中で新しい水と混合され、次いで、混合器５中で、グリセロールを含有する物質混合物に添加される。好ましくは、回収されたプロセス水の割合は、サイクルの合計の水投入量の８０〜１００％、より一層好ましくは９０〜１００％を構成する。
【００５４】
処理カスケード１１に供給された、反応した物質混合物は、まず制御バルブを通過して分離装置に送られ、分離装置に抽出剤としてトルエンが供給され、分離装置の中でプロセス水が、反応した物質混合物から分離され、既に説明されたように、次いで、プロセス水は制御バルブを経由して水混合器１２に供給され、あわせて、よごれた水はさらなる制御バルブを経由して除去される。さらに、プロパノールとトルエンとの混合物は分離装置から第一の抽出カラムに供給され、第一の抽出カラムにＮ−メチル−２−ピロリドン（ＮＭＰ）が抽出剤として添加される。この抽出カラムにおいて、目標留分（プロパノール）を含有する上部生成物は１０８℃で抽出され、次いで、プロパノールは３０℃で濃縮カラムによって得られる。さらに、トルエンとＮＭＰとの混合物は、第一の抽出カラムから、例えば１６０℃の温度で蒸発カラムによって分離され、第二の抽出カラムに、例えば１３４℃で供給される。この第二の抽出カラムにおいて、下部生成物は抜き取られ、残ったトルエンは蒸留によって取り除かれ、エネルギー投入のために第二の抽出カラムに供給しなおされ、次いで、未蒸発のＮＭＰは、約２３２℃で、ポンプによって、第一の抽出カラムに再び供給しなおされ、プロパノールの沈降のために、静的な混合器中で新しいＮＭＰと混合される。第二の抽出カラムにおいて、上部生成物もまた分離装置から抽出剤として引き抜かれ、トルエンは１２５℃より低い温度で濃縮されて、ポンプによって供給され、静的な混合器中で新しいトルエンと混合される。
【００５５】
図面中に示され、図面と併せて説明される実施態様は、本発明を説明するために提供され、本発明を限定しない。実施態様において述べられた温度は、例として理解されるだけであり、他の温度も可能である。
【図１】
2021516608.tif 000007
【手続補正書】
【提出日】令和2年3月13日(2020.3.13)
【手続補正１】
【補正対象書類名】明細書
【補正対象項目名】全文
【補正方法】変更
【補正の内容】
【発明の詳細な説明】
【技術分野】
【０００１】
本発明は、グリセロールを含有する物質混合物のプロパノールへの固定床反応器中における触媒変換のための方法及び装置に関するものであり、触媒の基材は無機材料及び／又は金属酸化物を含む。さらに、本発明は、触媒、及びグリセロールを含有する物質混合物のプロパノールへの固定床反応器中における触媒変換のための触媒を製造するための方法に関するものであり、触媒の基材は無機材料及び／又は金属酸化物を含む。
【背景技術】
【０００２】
産業化及び現代化のために、エネルギーのための、特に燃料のための要求は、長期間にわたって増加してきている。この理由のために、多くの指令が発行され、例えば欧州連合（ＥＵ）によって、化石燃料からの温室効果ガスの排出を削減する指令が発行されてきた。化石燃料は再生可能エネルギーによって部分的に取って代わられている。ＥＵでは、例えば、再生可能エネルギー指令の現行の改正されたバージョン（ＲＥＤ  ＩＩ）によって、このことが規制されていて、ＲＥＤ  ＩＩはエネルギーの１４％の割合が再生可能な原材料に由来しなければならないことを規定している。さらなる目標は、指令中で明示される原材料の限定的なリストから製造することが許可されるバイオ燃料のみを用いて、輸送分野における燃料に、２０２２年から０．２ｅ％（エネルギーパーセント）、２０２５年から１ｅ％、及び２０３０年には３．５ｅ％の量の高度なバイオ燃料（ａｄｖａｎｃｅｄ  ｂｉｏｆｕｅｌｓ）を追加することである。高度なバイオ燃料の利点は、高度なバイオ燃料は直接的には食糧生産と競合しないこと、及びそれゆえに減少した間接的土地利用変化（ＩＬＵＣ）しかもたらさないことである。現在は、これらの成分の製造のためのごく少数の産業的方法しかない。そのプロセスの多くは、小規模に試験されるのみであり、それゆえにこの種類の成分は高価であり、十分な量を獲得するのは困難である。
【０００３】
粗製グリセロールは、ＥＵの指令によってリストに挙げられる出発材料である。バイオディーゼル製造から、約１０ｗｔ％のグリセロールが、副生成物として粗製グリセロールの形態で得られる。粗製グリセロールは、通常、プロセスに関係する理由のために、塩化ナトリウム、水、メタノール、硫酸、モノグリセリド、ジグリセリド、灰、分離が十分でない脂肪残余物及び他の物質によって汚染される。用語「粗製グリセロール」（ｃｒｕｄｅ  ｇｌｙｃｅｒｏｌ）は、本発明の意図の中で、少なくとも６０ｗｔ％のグリセロール分を有し、加えて１〜１０ｗｔ％のミネラル分、すなわちカチオン分、例えばナトリウム、カリウム、カルシウム、マグネシウム、塩素及びリン、並びに５ｗｔ％より多い水分もまた有する液体混合物を意味すると理解される。粗製グリセロールは、とりわけその好都合な価格、液性及び良好な入手しやすさのために、高度なバイオ燃料の製造に有意に貢献する大きな発展性を有する。エネルギーの観点から、対応するモノアルコール、すなわち１−プロパノール（ｎ−プロパノール）及び／又は２−プロパノール（イソプロパノール）を、グリセロール（プロパン−１，２，３−トリオール）から、化学量論に基づいて製造することが最も有利である。加えて、高度なバイオプロパノールの一層高いエネルギー密度のために、高度なバイオエタノールを用いる場合より、混和成分として比較的少ない量が要求される。高度なバイオプロパノールの製造のための最も見込みがある出発材料は、バイオディーゼル製造の副生成物としての粗製グリセロールである。
【０００４】
高価値の又は有用な化学物質へのグリセロールの変換のための多くの様々なプロセス、例えばグリセロールの、酸化、エステル化及び水素化分解が、既に試験及び分析されてきた。
【０００５】
例えば、米国特許第８５０７７３６号明細書は、グリセロールから短鎖のアルコールを製造するための方法を示していて、短鎖のアルコールがバイオディーゼル製造の副生成物として製造される。具体的には、生成物流（ｐｒｏｄｕｃｔ  ｓｔｒｅａｍ）は、生成物流中の一価アルコールの合計の質量の５０％より多くを占めるプロパノールとともに、エタノール、メタノール及びプロパノールの混合物を含んでよい。処理は、脱水及び水素化の両方を含む単一の反応工程で行うことができる。使用される触媒は、脱水触媒と水素化触媒の混合物であってよく、脱水触媒はタングステン及びジルコニウムの酸化物を含有してよく、水素化触媒は白金族の金属を含有してよい。単一の工程での反応は約３００℃で行われる。
【０００６】
さらに、米国特許第８９４６４５８号明細書は、酸素化炭化水素を処理するための触媒、方法及び反応器システムのシリーズを開示している。特有の記載は、バイオディーゼル製造からの副生成物としてのグリセロールの応用としての使用から作られている。これから得られる生成物は、１−プロパノール及びアセトンを、他のものの中で含む。説明されている多くの様々な触媒とともに、異種の水素化脱酸素（ＨＤＯ）触媒が反応のために使用されている。ドーピングに関して、タングステン―ジルコニウム担体上に白金及びモリブデンを有する二金属の触媒を使用することができることが記載されている。１００〜３００℃の範囲が、４〜１４０ｂａｒの圧力における反応温度として与えられている。
【０００７】
欧州特許第２０１６０３７号明細書は、グリセロールを含む水性供給材料を処理するための、単一の触媒プロセスで、及びその場で発生させた水素を使用して、とりわけアルコールを、特にエタノール及びプロパノールを含むアルコールを製造する方法を示している。触媒担体は、タングステンを用いて処理されたシリコン又はジルコニウムであってよい。これに関連して、ジルコニウムの酸化物の使用がとりわけ好ましいことが記載されている。触媒はまた、遷移金属、例えば白金又はロジウムを含有してよい。方法は２つの化学工程で行われ、そのために、８０〜４００℃及び１００〜３００℃の、異なる、しかし重複する温度範囲が明示されている。
【０００８】
中国特許第１０１０５４３３９号明細書は、多くのチューブを有する固定床触媒を用いた、連続的なプロセスにおける、バイオディーゼルの副生成物であるグリセロールのｎ−プロパノールへの処理のための方法を示している。使用される触媒担体は、とりわけ活性成分として、タングステン、ロジウム、モリブデン及び白金とともに、ＺｒＯ２を含む。反応温度は、１８０〜３６０℃である。
【０００９】
さらなる方法は、例えば米国特許第８０７５６４２号明細書、独国特許出願公開第１０２００８０２６５８３号明細書、Ｗａｎｇらによる”Ｃａｔａｌｙｔｉｃ  ｔｒａｎｓｆｏｒｍａｔｉｏｎ  ｏｆ  ｇｌｙｃｅｒｏｌ  ｔｏ  １−ｐｒｏｐａｎｏｌ  ｂｙ  ｃｏｍｂｉｎｉｎｇ  ｚｉｒｃｏｎｉｕｍ  ｐｈｏｓｐｈａｔｅ  ａｎｄ  ｓｕｐｐｏｒｔｅｄ  Ｒｕ  ｃａｔａｌｙｓｔｓ”、ＲＣＳ  Ａｄｖａｎｃｅｓ  ｖｏｌ．６、１６  Ｍａｒｃｈ  ２０１６、ｐｐ  ２９７６９−２９７７７、中国特許第１０３７０６３９２号明細書、Ｘｕｆｅｎｇ  Ｌｉｎらによる”Ｈｙｄｒｏｇｅｎｏｌｙｓｉｓ  ｏｆ  Ｇｌｙｃｅｒｏｌ  ｂｙ  ｔｈｅ  Ｃｏｍｂｉｎｅｄ  Ｕｓｅ  ｏｆ  Ｚｅｏｌｉｔｅ  ａｎｄ  Ｎｉ／Ａｌ２Ｏ３  ａｓ  Ｃａｔａｌｙｓｔｓ：Ａ  Ｒｏｕｔｅ  ｆｏｒ  Ａｃｈｉｅｖｉｎｇ  Ｈｉｇｈ  Ｓｅｌｅｃｔｉｖｉｔｙ  ｔｏ  １−Ｐｒｏｐａｎｏｌ”、Ｅｎｅｒｇｙ＆Ｆｕｅｌｓ  ｖｏｌ．２８、Ｎｏ．５、１５  Ｍａｙ  ２０１４、ｐｐ  ３３４５−３３５１、及び国際公開第２０１３／１６３５６１号において開示されている。
【００１０】
しかし、全ての現在の利用可能な方法は、１つ又は複数の本質的な欠点を有する。通常、精製グリセロールを直接処理することが可能なだけであり、粗製グリセロール又は不純なグリセロールを直接処理することはできない。粗製グリセロールから精製グリセロールを得るために、全ての製造されたグリセロールを精製グリセロールにさらに処理することはできないが、不純物を除去せねばならない。しばしば、唯一の純化工程は、粗製グリセロールからメタノールを回収することである。多数の純化プロセスがないために、粗製グリセロールは、精製グリセロールよりかなり安価である。特に、これらの要件を十分に満たす、公知の触媒又は触媒の製造のための方法はなく、従って連続的な操作を妨げている。従来技術は、例えば塩又は硫黄を触媒に付着させる場合があり、従って触媒の有効性を減少させる。さらに、全ての方法は、複雑であるか、低い選択性若しくは低い変換速度を有するか、及び／又は実行するのに高い費用がかかるかである。
【発明の概要】
【００１１】
従って、本発明の目的は、全て又は幾つかの上で記載された欠点を克服すること、並びに特に、グリセロールの変換率及び生成物プロパノールへの選択性の両方が高い方法、装置、触媒、並びに触媒の製造のための方法を作り出すことである。別の目的は、コストのかかる予備の、純化又は調製を用いずに、粗製グリセロールを燃料又は混和可能な燃料成分にさらに処理することである。さらなる目的は、プロセスの進行の間に、触媒として活性な、しばしば容易に水に溶ける化合物が溶出するのを妨げるために、触媒として活性な化合物を触媒の基材に固定化することである。さらに、提案された方法を実験室から大規模なプラントへと十分な規模に移行することが可能であるはずであり、すなわち、提案された方法は適切な大規模化を可能とするはずである。さらに、副生成物、例えば二量体化生成物及びケトンの生成が制限される条件が達成されるはずである。
【００１２】
このことは、独立請求項の対象及び方法によって達成される。
【００１３】
特に、このことは、触媒の基材が１０〜２５Å、好ましくは１２〜２０Å、特に好ましくはおおよそ１５Åの表面における孔径を備える、上で説明された、グリセロールを含有する物質混合物をプロパノールに変換するための方法及び装置によって達成される。さらに、このことは、触媒の基材が１０〜２５Å、好ましくは１２〜２０Å、特に好ましくはおおよそ１５Åの表面における孔径を備える、上で説明された、グリセロールを含有する物質混合物をプロパノールに変換するための触媒によって、及び触媒の基材の製造のためのベース材料が１０〜２５Å、好ましくは１２〜２０Å、特に好ましくはおおよそ１５Åの表面における孔径を備えるか、又は触媒の基材の製造のためのベース材料がＵＳＹゼオライトを含むかである、上で説明された、グリセロールを含有する物質混合物をプロパノールに変換するための触媒を製造するための方法によって達成され、触媒の基材が１０〜２５Å、好ましくは１２〜２０Å、特に好ましくはおおよそ１５Åの表面における孔径を備えるように、ＵＳＹゼオライトは脱アルミニウム化される。前記孔径はまた、基材の内側に、又はその一部に提供されてもよい。
【００１４】
試験は、この製造方法によって、及び前記孔のサイズを有する基材を選択することによって、触媒として活性な、その他の点では、通常は高い水溶性を有する物質、例えばシリコタングステン酸は、触媒基材によく固定化されていることを示した。このことは、例えば液体、液相中で起こる反応の場合、例えば２５〜２５ｂａｒの圧力の下で、触媒、特に脱水触媒は水和、すなわち水に溶解すること、によって溶解することはできず、安定して固定化されたままであり、従って、活性中心は自由にアクセス可能であり、水性反応にもかかわらず保持されることを意味する。
【００１５】
有利には、反応は単一の工程で起こるべきである。先行研究は、反応において、脱水に次いで水素化がなければならないため、結合された触媒システムが必要であることを示唆した。それゆえに、反応を単一の工程で行うことができるように、２つの異なる触媒の系を１つの基材に結合することは有利である。触媒として活性な物質、特に脱水触媒、例えばシリコタングステン酸は、一方では物理化学的相互作用、おそらくは吸着のファンデルワールス力のために、並びに他方では理想的な孔径及びその孔径に由来する触媒として活性な物質の影響の受けにくさのために、最も有望である。さらに、触媒として活性な物質、特に脱水触媒は、その分子サイズのために、特に粗い孔中で付着が起こるとともに、好ましくは表面の近くに付着され、水素化触媒とは対照的に、脱水触媒は基材中にさらに進んで入り込むことができない。
【００１６】
グリセロールを含有する物質混合物をプロパノールに変換するための方法に関して、使用される触媒の基材が押出ペレット、好ましくはセラミックである場合、そのことは有利である。有利には、触媒ペレットの押し出し及び続く調整によって、有機バインダーは基材表面でほとんど残余物無く揮発して、ペレットは対応する強度を獲得する。
【００１７】
好ましくは、グリセロールを含有する物質混合物のプロパノールへの変換は、固定床反応器中で、上で説明された触媒を用いて連続的に行われる。このようにして、可能な限り高いグリセロールの処理量を達成することができ、加えて、８５％超の、プロパノールへの非常に高い変換率を達成することができる。触媒の特殊な基材によって可能となる、その他の点では水溶性である脱水触媒の固定化によって、触媒活性はこの高いレベルで長期間維持され、触媒はインターバルを変化させ、従ってプラントの中断時間を最小に減少させる。固定床反応器は好ましくは単段式である。
【００１８】
方法の好ましい異なる形において、シリコン、タングステン、ジルコニウム及び／又はアルミニウムの混合酸化物、好ましくは二酸化ジルコニウム、（好ましくは合成アルミノケイ酸塩及びアルミノリン酸塩）ゼオライト、好ましくはＶＦＩゼオライト又はＶＰＩ−５ゼオライト、脱アルミニウム化されたＵＳＹゼオライト及び／又は二酸化アルミニウムが触媒のための基材として使用される。このような基材は、試験シリーズの進行に対して特に好都合であると判明した。
【００１９】
触媒が白金のドープを含む場合、そのことはまた有利である。従来技術によれば、触媒として活性な第二の触媒物質として白金を基材に固定化することに問題はない。現在の従来技術によれば、ＺｒＯ２は、グリセロールのプロパノールへの変換のための有利な触媒ではないが、しかし触媒のための担体材料としては、ＺｒＯ２は、その高い熱安定性、高い硬度及び還元条件下での良好な安定性のために多くの反応で有利である。酸性中心は、おそらく脱水工程のために必要であり、脱水工程の中で、アセトール及び３−ヒドロキシプロピオンアルデヒドは生成し得るグリセロールの生成物である。リンタングステン酸もまた、脱水工程を可能とするものである場合がある。有利には、金属触媒は中間生成物の水素化の要因である。貴金属、例えば白金は、おそらく水素分子を活性化するために、水素化触媒であることが知られている。ルテニウムもまた、他の触媒ほどには硫黄に対して感受性がないため、水素触媒であり得る。卑金属（非貴金属）、例えば銅又はニッケルもまた、水素触媒であり得る。一般に、触媒は、酸性中心と水素化中心（ｈｙｄｒｏｇｅｎａｔｉｏｎ  ｃｅｎｔｒｅｓ）との最適な比を含むべきであり、有利には、触媒被毒に対して可能な限り抵抗するものであるべきである。基材に加えて、好ましくは、触媒の組成物は０．５〜５ｗｔ％、好ましくは１〜３ｗｔ％、特に好ましくはおおよそ１．５ｗｔ％の、白金、ルテニウム、銅又はニッケルの割合、及び５〜２０ｗｔ％、好ましくは７．５〜１５ｗｔ％、特に好ましくはおおよそ１２ｗｔ％のシリコタングステン酸又はリンタングステン酸の割合からなる。
【００２０】
出発材料として、すなわちグリセロールを含有する物質混合物として、粗製グリセロール、工業用グリセロール及び／又は純化グリセロールを使用することが可能である。粗製グリセロールが使用される場合、粗製グリセロールは低価格を特徴とし、様々な方法の副生成物であるために、そのことは特に有利である。さらに、高度なバイオ燃料のための（法的な）ガイドラインは、とりわけ指令（ＥＵ）２０１５／１５１３、付属書類ＩＸ、パートＡ、「ＲＥＤ  ＩＩ］としてもまた知られる指令によれば、通常は粗製グリセロールのみを含む。グリセロール含有量及び不純物の割合に関して、工業用グリセロールは、粗製グリセロールと純化グリセロールの間である。
【００２１】
好ましくは、方法の第一の工程において、グリセロールを含有する物質混合物は、貯蔵コンテナから取り出され、有利には、ろ過され、グリセロールを含有する物質混合物の質に応じて、特に汚染の程度に応じて物質混合物に含有される、任意の未溶解の固体及び望ましくない付随する物質を特に除去する。グリセロールを含有する物質混合物は、この工程の前又は後に、任意選択で遠心分離されてよい。好ましくは次いで、（好ましくは前処理された）グリセロールを含有する物質混合物は水と混合及び希釈され、好ましくは、グリセロール含有量は５〜８０％、特に好ましくは１０〜６０％、より一層好ましくは１５〜５０％に調整され、所望の生成物の収率構造（ｙｉｅｌｄ  ｓｔｒｕｃｔｕｒｅ）に応じて、グリセロール含有量は、化学量論的に可能な、最終生成物における１−プロパノールの所望の濃度（物質の量）の０．７〜０．９倍に調節される。この工程が行われた場合、下で、グリセロールを含有する物質混合物は、この工程で得られた、元々の（好ましくは前処理された）グリセロールを含有する物質混合物と水との混合物をいう。
【００２２】
有利な方法の工程において、好ましくは、グリセロールを含有する物質混合物は、好ましくは１５０〜３００℃、特に好ましくは１９０〜２５０℃、より一層好ましくはおおよそ２２０℃で、熱交換器、好ましくは準断熱反応の実行のためのエコノマイザーを用いて加熱される。好ましくは、水素は、グリセロールを含有する物質混合物に、好ましくは静的な混合器中で添加され、化学量論的に可能な、最終生成物における１−プロパノールの所望の濃度（物質の量）の１０〜６０倍より過剰に水素は調整される。
【００２３】
この工程が行われた場合、グリセロールを含有する物質混合物は、（任意の先の添加及び純化に加えて）水素と混合された物質混合物をいう。
【００２４】
次いで、グリセロールを含有する物質混合物は、好ましくは連続的な触媒固定床反応器を通過する。好ましくは、プロセス流体（グリセロールを含有する反応した物質混合物）は、固定床反応器の後に、熱の投入のために熱交換器に導かれる。有利には、プロセスの熱からのエネルギーは、固定床反応器中での反応の前にグリセロールを含有する物質混合物の余熱を確実にするのに十分であり、すなわち（プラントを始動させるときを除いて）外部の反応エネルギーを与える及び／又は除去する必要がなく、従って反応は有利なことに断熱である。
【００２５】
有利には、次いで、プロセス中間体は、元々の圧力の、好ましくは０．２〜０．０２倍、特に好ましくは０．１〜０．０３倍、より一層好ましくはおおよそ０．０４倍に膨張する。好ましくは次いで、水素は反応した物質混合物から分離装置によって回収され、回収された水素はコンプレッサーによって再圧縮されて、固定床反応器中での反応の前に物質混合物に添加された新しい水素に追加される。反応のために使用される水素の合計の量に対する回収された水素の割合は、好ましくは５０〜９９％、特に好ましくは７０〜９７％である。
【００２６】
さらに有利な方法の工程において、有機目標留分は、好ましくは物理的に、特に好ましくは蒸留によって、反応した物質混合物から得ることができ、すなわち、含有され、かつ副生成物として形成されるプロセス水が除去され、純粋なプロパノールが得られる。好ましくは、１−プロパノールと２−プロパノールとの両方が得られる。好ましくは、生成物流は１０〜２２ｗｔ％の２−プロパノール及び６０〜８５ｗｔ％の１−プロパノール、例えば２０ｗｔ％の２−プロパノール及び７０ｗｔ％の１−プロパノールを含有する。一方で、２つの内１つのみもまた得ることができる。好ましくは、１−プロパノール及び／又は２−プロパノールは、処理カスケード（ｔｒｅａｔｍｅｎｔ  ｃａｓｃａｄｅ）によって固定床反応器中で反応した物質混合物から水を最初に除去して純粋なプロパノールを得ることによって得られ、分離されたプロセス水は水混合器、通常は従来型の混合器中で新しい水に追加され、水混合物は、特に好ましくは方法中のより速い時点において、特に混合器中で混合するために使用され、より一層好ましくは、回収されたプロセス水は、方法において使用される合計の水の８０〜１００％、好ましくは９０〜１００％の割合を有する。代わりに又は加えて、得られた有機目標留分もまた、さらなる方法の工程において、より長い鎖の炭化水素を作り上げるために、すなわち、それらをオリゴマー化するために、使用することができる。
【００２７】
好ましくは、反応は、固定床反応器中で、１５０〜３００℃、好ましくは１９０〜２５０℃、特に好ましくは２１０〜２３０℃の温度で行われる。実験は、より低い温度では変換率が低く、一方で、高い温度はプロパノールについてより低い選択性をもたらし、記載された温度間隔で、とりわけ２１０〜２３０℃の間隔で、エネルギー入力と変換率と選択性との間の最適な比に関して、効率は良好であることを示した。
【００２８】
好ましい異なる形において、変換は、固定床反応器中で、１０〜１００ｂａｒ、好ましくは１５〜７５ｂａｒ、より一層好ましくは２５〜５０ｂａｒの圧力で行われ、これは、先述の条件の下で、特に良好な効率がまた達成されるからである。
【００２９】
特に、本発明による方法の結果として得られる生成物流は０．１〜５ｗｔ％のメタノール（ＭｅＯＨ）、３〜６ｗｔ％のエタノール（ＥｔＯＨ）、１０〜２２ｗｔ％の２−プロパノール、３〜６ｗｔ％のアセトン及び６０〜８５ｗｔ％の１−プロパノールを含む。０．０５ｗｔ％より少ない生成物中のグリセロール含有量が、好ましくは達成される。
【００３０】
１つの実施態様において、粗製グリセロールが使用され、その化学分析は以下の組成を示した。
Ｎａ：０．１３ｗｔ％
Ｃａ：＜０．０１ｗｔ％
Ｋ：０．６１ｗｔ％
Ａｌ：＜０．００１ｗｔ％
Ｓｉ：＜０．００１ｗｔ％
Ｆｅ：０．０００４ｗｔ％
Ｃｒ：＜０．０００１ｗｔ％
Ｎｉ：＜０．０００１ｗｔ％
Ｓ：０．５４４８ｗｔ％
Ｃｌ：＜０．０００１ｗｔ％
Ｖ：＜０．００１ｗｔ％
Ｚｎ：＜０．００１ｗｔ％
炭素：３２．３０ｗｔ％
水素：９．８０ｗｔ％
水：１４．０ｗｔ％
グリセロール含有量：７９．９ｗｔ％
酸価：０．４５ｍｇ  ＫＯＨ／ｇ
【００３１】
この実施態様において、処理は０．８０ｈ−１の毎時重量空間速度（ＷＨＳＶ）で、３３ｍｏｌ／ｍｏｌの水素／グリセロールの比で、反応器より高い温度に分布する２１８〜２２５℃の温度である２２０℃の平均反応温度で、及び５０ｂａｒの圧力で行った。このことは、以下の生成物組成を結果としてもたらした。
メタノール：０．３ｗｔ％
エタノール：５．６ｗｔ％
２−プロパノール：１３．９ｗｒ％
アセトン：５．５ｗｔ％
１−プロパノール：７４．６ｗｔ％
【００３２】
他の分析物を追跡すると、無機構成要素及び水は抽出蒸留によって除去されていた。
【００３３】
変換率は、ＷＨＳＶ又は水素／グリセロールのモル比、及び温度に依存する。例として以下の変換率が達成される。
【００３４】
例１：ＷＨＳＶ：０．０７ｈ−１；水素／グリセロールの比：１３３ｍｏｌ／ｍｏｌ
【表１】
2021516608.tif 000008
【００３５】
例２：ＷＨＳＶ：０．０７ｈ−１；水素／グリセロールの比：６６ｍｏｌ／ｍｏｌ
【表２】
2021516608.tif 000009
【００３６】
例３：ＷＨＳＶ：０．１５ｈ−１；水素／グリセロールの比：３２ｍｏｌ／ｍｏｌ
【表３】
2021516608.tif 000010
【００３７】
例４：ＷＨＳＶ：０．２１ｈ−１；水素／グリセロールの比：３３ｍｏｌ／ｍｏｌ
【表４】
2021516608.tif 000011
【００３８】
変換率（ｉｎ％）は、（グリセロール（インプット）−グリセロール（アウトプット））／グリセロール（アウトプット）・１００として計算した。より高い温度は、より高い変換率に有利に働く。同様に、より高いモル比は、より高い変換率に有利に働く。８０ｗｔ％より多い、好ましくは９０ｗｔ％より多いグリセロールをプロパノールに変換することができる。
【００３９】
グリセロールを含有する物質混合物のプロパノールへの固定床反応器中における触媒変換のための、本発明による装置に関して、触媒の基材が好ましくはセラミックの押出ペレットである場合、そのことは有利である。
【００４０】
さらに、触媒の基材がシリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウムである場合、そのことは有利である。基材が白金のドープを含む場合、そのことはまた有利である。固定床反応器は、より一層好ましくは連続的な操作に適している。
【００４１】
好ましくは、装置は、以下のオブジェクト：
−グリセロールを含有する物質混合物のための貯蔵コンテナ、
−グリセロールを含有する物質混合物中に含有される未溶解の固体及び／又は望ましくない付随する物質を除去するための、ろ過装置、
−グリセロールを含有する物質混合物を水で希釈するための第一の混合器、
−グリセロールを含有する物質混合物を加熱するための熱交換器、好ましくはエコノマイザー、
−グリセロールを含有する物質混合物に水素を添加するための、好ましくは静的な第二の混合器、
−固定床反応器中で変換された物質混合物を熱交換器に戻すためのライン、
−固定床反応器中で反応した物質混合物から水素を回収するための分離装置、及び好ましくは、出発水素に供給することができ、出発水素と混合することができる回収された水素を圧縮するための、コンプレッサー、
−有利には、混合器中のグリセロールを含有する希釈された物質混合物の製造のための再使用のために、抽出剤によって純粋なプロパノールとプロセス水とを分離し、抽出回路のための抽出剤が処理カスケード中で回収され、好ましくはプロセス水もまた回収される、処理カスケード１１、
のうち１つ又は複数を含む。
【００４２】
グリセロールを含有する物質混合物のグリセロールへの固定床反応器中における触媒変換のための本発明による触媒に関して、基材、好ましくはセラミックが押出ペレットである場合、そのことは有利である。さらに、触媒の基材がシリコン、タングステン、ジルコニウム及び／又はアルミニウムの混合酸化物、好ましくは二酸化ジルコニウム、アルミノケイ酸及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウム、並びに好ましくは白金のドープを含む場合、及び／又は触媒が固定床反応器の連続的な操作に適している場合、そのことは有利である。
【００４３】
グリセロールを含有する物質混合物のプロパノールへの固定床反応器中における触媒変換のための触媒を製造するための本発明による方法に関して、最終的には、基材の表面における孔径が、その表面において、１０〜２５Å、好ましくは１２〜２０Å、特に好ましくはおおよそ１５Åとなるように、基材のベース材料が適切な孔のサイズ、１０〜２５Å、好ましくは１２〜２０Å、特に好ましくはおおよそ１５Åの、特に表面における孔径をあらかじめ備えることが必要である。ベース材料の孔径が未だ対応する範囲にない場合、ＵＳＹゼオライトの場合と同様に、適切な手段によって、特に脱アルミニウム化によって、まず孔径を適切なサイズにすることが必要である。ＵＳＹゼオライトは、超安定化（Ｙ−）ゼオライトとして知られるものである。これらは、実際には非常に小さい孔のサイズを有するが、機械的には極度に安定である。この特性は、例えば高い反応性及び固有の重量によってもたらされる圧縮負荷のために大規模化に特に関連する。これらのＵＳＹゼオライトが脱アルミニウム化される、すなわちアルミノケイ酸塩複合材の画定された部分が次いで化学的に除去される場合、孔のサイズを、特に前述の所望の基材の表面における孔径に適切に拡張することができる。要約すると、孔のサイズ、機械的安定性、及び表面の相互作用のためのポテンシャル又は例えばシリコタングステン酸の固定化のための物理吸着が、基材材料の選択のための決定的な基準である。元々は適した孔のサイズを有さないＵＳＹゼオライトの、触媒の基材の製造のためのベース材料としての使用に関して、脱アルミニウム化が錯化剤、とりわけエチレンジアミンテトラ酢酸（ＥＤＴＡ）を用いて行われる場合、そのことは有利である。
【００４４】
シリコン、タングステン、ジルコニウム及び／又はアルミニウムの混合酸化物、好ましくは二酸化ジルコニウム、アルミノケイ酸塩及び又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウムが、触媒の基材（担体材料）のためのベース材料として使用される場合、そのことは有利である。
【００４５】
好ましくは、有機バインダーは、まずベース材料中に入れられ、ベース材料は好ましくは粉末形態であり、次いで、これらは均一に混練されてベース混合物を形成し、有機バインダーは、次いで、実質的に残余物なく、特に実質的に基材表面で燃やされる。好ましくは、ポリマー、好ましくはポリスチレンと水との、分散体、特に好ましくはナノ分散体が有機バインダーとして使用され、好ましくは、分散体のポリマー含有量は５ｗｔ％より少なく、特に好ましくは１ｗｔ％より少ない。次いで、ペレットは、好ましくは５〜１２０ｂａｒ、特に好ましくは２０〜１００ｂａｒ、より一層好ましくは４０〜８０ｂａｒの圧力の下で、１〜８ｍｍ、好ましくは２〜６ｍｍ、特に好ましくは３〜４ｍｍの直径に、及び／又は０．２５〜４ｃｍ、好ましくは０．４〜３ｃｍ、特に好ましくは０．５〜２ｃｍの長さに、基礎のマス（ｂａｓｉｃ  ｍａｓｓ）から押し出され、好ましくは、ペレットは４００〜１０００℃、好ましくは５００〜７５０℃、より一層好ましくはおおよそ６００℃の温度で、２４〜１６８ｈ、好ましくは３６〜９６ｈ、より一層好ましくはおおよそ４８ｈの期間、調整される。
【００４６】
さらに、１０００ｇの基材材料当たり、好ましくは、０．５〜３Ｌ、好ましくはおおよそ１．５Ｌの、１５〜３００ｍｍｏｌ／Ｌ、好ましくはおおよそ７５ｍｍｏｌ／ＬのＨ２ＰｔＣｌ６・６Ｈ２Ｏの水溶液を含浸のために使用して、押し出された基材のペレットに白金を含浸させる場合、そのことは有利である。好ましくは次いで、ペレットは乾燥されて、これは６０〜１２０℃、好ましくはおおよそ９０℃の温度で行われる。次いで、ペレットは２５０〜４５０℃、好ましくはおおよそ３５０℃で、６〜２４ｈ、好ましくはおおよそ１２ｈの間、有利には焼成される。
【００４７】
さらに有利であるのは、これに次ぐ、白金をドープした基材への、０．５〜３Ｌ、好ましくはおおよそ１．５Ｌの、２５〜１００ｍｍｏｌ／Ｌ、好ましくはおおよそ５０ｍｍｏｌ／Ｌの脱水触媒の表面固定のための水性シリコタングステン酸の含浸、好ましくは、これに次ぐ、６０〜１２０℃、好ましくはおおよそ９０℃での乾燥、及び好ましくは、これに次ぐ、２５０〜４５０℃、好ましくはおおよそ３５０℃における、６〜２４ｈ、好ましくはおおよそ１２ｈの間の焼成である。
【００４８】
この製造方法を使用して、先に画定された孔のサイズを有する基材を選択することで、試験は、他の点では高い水溶性を有する触媒、特に脱水触媒、例えばシリコタングステン酸は、触媒基材に固定化されることを示した。このことは、液体、液相中で、及び上で記載された圧力の下で行われる反応の間、脱水触媒は水和によって溶解することはできず、安定的に固定化されたままであり、さらに活性中心は自由にアクセス可能なままであることを意味する。脱水触媒、特にシリコタングステン酸の固定化は、おそらくは、一方では（おそらくは吸着効果を有するファンデルワールス力の）物理化学的相互作用のため、並びに他方では理想的な孔径及びその孔径による水和のための脱水触媒のアクセス不可能性のためである。
【００４９】
代わりに可能なことは、続く含浸について孔径を考慮する必要がないように、脱水触媒、例えばシリコタングステン酸化物を直接的に担体材料、例えば二酸化ジルコニウム中に共押し出しをすることである。しかし、この代わりの案は非常にコストがかかり、かつ複雑であることが判明している。
【００５０】
本発明は、図面に示される好ましい実施態様に基づいて、下でさらに説明されるが、しかし、本発明は、決してそれに限定されるべきではない。図面は、具体的には以下を示す。
【図面の簡単な説明】
【００５１】
【図１】グリセロールを含有する物質混合物のプロパノールへの固定床反応器中における触媒変換のための方法及び装置の好ましい実施態様である。
【発明を実施するための形態】
【００５２】
図１は、グリセロールを含有する物質混合物のプロパノールへの固定床反応器２中における触媒変換のための装置１の好ましい実施態様を示す。特に、貯蔵コンテナ３から取り出される粗製グリセロールが出発材料として使用される。次いで、グリセロールを含有する物質混合物は、好ましくはポンプによって、ろ過装置４に供給され、ろ過装置４中でろ過され、グリセロールを含有する物質混合物の質に応じてその中に含有される場合がある任意の未溶解の固体及び望ましくない付随する物質を除去する。具体的な実施態様において、ろ過装置は２つの重複して配置されたバックフラッシュ可能（ｂａｃｋ−ｆｌｕｓｈａｂｌｅ）なろ過器からなり、好ましくは、制御バルブがそれぞれのバックフラッシュ可能なろ過器の上流に配置される。グリセロールを含有するろ過された物質混合物は、次いで、混合容器５中で水と混合されて、希釈され、結果としてもたらされるグリセロール含有量は、好ましくは１０〜６０％である。混合容器５はセーフティバルブ（圧力リリーフバルブ）を備える。
【００５３】
グリセロールを含有するろ過及び希釈された物質混合物は、次いで、エコノマイザー熱交換器６によって加熱され、グリセロールを含有する物質混合物はポンプによってエコノマイザー熱交換器６に供給され、次いで、静的な混合器７中で水素が添加され、有利には次いで、混合物は冷却器を通過する。次いで、この混合物は連続的な触媒固定床反応器２に供給され、固定床反応器２は、同様に、好ましくはセーフティバルブを備える。反応した物質混合物は、ライン８を経由して熱入力のために熱交換器６中に供給される。プロセスの廃熱のエネルギーは、グリセロールを含有するろ過及び混合された物質混合物を予熱するのに十分であり、通常は外部の反応エネルギーを与える必要がない。従って、反応は断熱である。この例外は、当然ながらスイッチオンプロセスの間である。
【００５４】
次いで、変換された物質混合物は、固定床反応器中で変換された物質混合物からの水素の回収のために、フラッシュバルブを経由して分離装置９、特に蒸気−液体分離器又はフラッシュドラムに供給される。気体流を再生利用する水素は空気冷却器を通過し、揮発性の高い有機付随成分は分離器の容器中で再濃縮される。次いで、気体流を再生利用する水素の一部は、制御バルブの下流で、副生成物気体（特に主としてプロパン）の排出のためにフレアされ、気体流を再生利用するフレアされた水素の割合は０．５％より少なく、特に好ましくは０．１％より少ない。次いで、回収された水素はコンプレッサー１０中で再圧縮されて新しい水素に追加され、グリセロールを含有する物質混合物は静的な混合器７中で水素と混合され、１つのサイクルにおける、水素投入量における再生利用された水素の割合は、好ましくは７０〜９７％である。次いで、純粋なプロパノールは、処理カスケード１１中で、反応した物質混合物から得ることができ、反応した物質混合物は熱交換器及び冷却器を経由して処理カスケード１１に供給され、抽出回路のための抽出剤は同一の処理カスケード中で回収することができ、グリセロールを含有する希釈された物質混合物の製造における再使用のためのプロセス水もまた回収され、回収されたプロセス水は水混合器１２中で新しい水と混合され、次いで、混合器５中で、グリセロールを含有する物質混合物に添加される。好ましくは、回収されたプロセス水の割合は、サイクルの合計の水投入量の８０〜１００％、より一層好ましくは９０〜１００％を構成する。
【００５５】
処理カスケード１１に供給された、反応した物質混合物は、まず制御バルブを通過して分離装置に送られ、分離装置に抽出剤としてトルエンが供給され、分離装置の中でプロセス水が、反応した物質混合物から分離され、既に説明されたように、次いで、プロセス水は制御バルブを経由して水混合器１２に供給され、あわせて、よごれた水はさらなる制御バルブを経由して除去される。さらに、プロパノールとトルエンとの混合物は分離装置から第一の抽出カラムに供給され、第一の抽出カラムにＮ−メチル−２−ピロリドン（ＮＭＰ）が抽出剤として添加される。この抽出カラムにおいて、目標留分（プロパノール）を含有する上部生成物は１０８℃で抽出され、次いで、プロパノールは３０℃で濃縮カラムによって得られる。さらに、トルエンとＮＭＰとの混合物は、第一の抽出カラムから、例えば１６０℃の温度で蒸発カラムによって分離され、第二の抽出カラムに、例えば１３４℃で供給される。この第二の抽出カラムにおいて、下部生成物は抜き取られ、残ったトルエンは蒸留によって取り除かれ、エネルギー投入のために第二の抽出カラムに供給しなおされ、次いで、未蒸発のＮＭＰは、約２３２℃で、ポンプによって、第一の抽出カラムに再び供給しなおされ、プロパノールの沈降のために、静的な混合器中で新しいＮＭＰと混合される。第二の抽出カラムにおいて、上部生成物もまた分離装置から抽出剤として引き抜かれ、トルエンは１２５℃より低い温度で濃縮されて、ポンプによって供給され、静的な混合器中で新しいトルエンと混合される。
【００５６】
図面中に示され、図面と併せて説明される実施態様は、本発明を説明するために提供され、本発明を限定しない。実施態様において述べられた温度は、例として理解されるだけであり、他の温度も可能である。
【手続補正２】
【補正対象書類名】特許請求の範囲
【補正対象項目名】全文
【補正方法】変更
【補正の内容】
【特許請求の範囲】
【請求項１】
触媒の基材が無機材料及び／又は金属酸化物を含み、基材が１０〜２５Å、好ましくは１２〜２０Å、特に好ましくは１５Åの表面における孔径を備え、触媒がシリコタングステン酸又はリンタングステン酸を含むことを特徴とする、グリセロールを含有する物質混合物のプロパノールへの固定床反応器（２）中における触媒変換のための方法。
【請求項２】
基材が押出ペレット、好ましくはセラミックであることを特徴とする、請求項１に記載の方法。
【請求項３】
グリセロールを含有する物質混合物の反応が固定床反応器（２）中で連続的に行われ、好ましくは固定床反応器（２）が単段式であることを特徴とする、請求項１又は２に記載の方法。
【請求項４】
シリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウムが、触媒の基材として使用され、好ましくは触媒が白金のドープを含むことを特徴とする、請求項１〜３のいずれか１項に記載の方法。
【請求項５】
グリセロールを含有する物質混合物が粗製グリセロール、工業用グリセロール又は純化グリセロールであることを特徴とする、請求項１〜４のいずれか１項に記載の方法。
【請求項６】
以下の工程：
貯蔵コンテナ（３）からグリセロールを含有する物質混合物を取り出す工程、
グリセロールを含有する物質混合物をろ過し、好ましくは、物質混合物に含有される未溶解の固体及び／又は希釈された付随する物質を除去する工程、及び／又は
混合器（５）中で、グリセロールを含有する物質混合物を水と混合し、好ましくは、グリセロールの濃度を５〜８０％、特に好ましくは１０〜６０％、より一層好ましくは１５〜５０％に調整する工程
のうち１つ又は複数を含むことを特徴とする、請求項１〜５のいずれか１項に記載の方法。
【請求項７】
以下の工程：
グリセロールを含有する物質混合物を熱交換器（６）、好ましくはエコノマイザーを用いて加熱する工程、
グリセロールを含有する物質混合物に、好ましくは静的な混合器（７）中で水素を添加する工程、
方法が断熱となるように、反応前のグリセロールを含有する物質混合物への熱輸送のために、固定床反応器（２）中で反応した物質混合物の熱を熱交換器（６）に戻す工程
のうち１つ又は複数を含むことを特徴とする、請求項１〜６のいずれか１項に記載の方法。
【請求項８】
水素が、固定床反応器（２）中で反応した物質混合物から分離装置（９）によって回収されて、好ましくは、回収された水素が、次いでコンプレッサー（１０）中で再圧縮されて、新しい水素に追加されて、特に好ましくは、水素混合物が方法中のより速い時点において使用されて、より一層好ましくは、回収された水素が、方法において使用される合計の水素の５０〜９９％、好ましくは７０〜９７％の割合を有することを特徴とする、請求項１〜７のいずれか１項に記載の方法。
【請求項９】
プロパノール、好ましくは１−プロパノールと２−プロパノールとの両方が、固定床反応器（２）中で反応した物質混合物から、好ましくは固定床反応器（２）中で反応した物質混合物から処理カスケード（ｔｒｅａｔｍｅｎｔ  ｃａｓｃａｄｅ）（１１）によって水を最初に除去して純粋なプロパノールを得ることによって得られて、分離されたプロセス水が水混合器（１２）中で新しい水に追加されて、水混合物が、特に好ましくは方法のより速い時点において、特に混合器（５）中で混合するために使用されて、より一層好ましくは、回収されたプロセス水が、方法において使用される合計の水の８０〜１００％、好ましくは９０〜１００％の割合を有すること、及び／又は
固定床反応器（２）中で反応した物質混合物から、より長い鎖の炭化水素を作る、好ましくはオリゴマー化すること
を特徴とする、請求項１〜８のいずれか１項に記載の方法。
【請求項１０】
反応が、固定床反応器（２）中で、１５０〜３００℃、好ましくは１９０〜２５０℃、特に好ましくは２１０〜２３０℃の温度で行われることを特徴とする、請求項１〜９のいずれか１項に記載の方法。
【請求項１１】
反応が、固定床反応器（２）中で、１０〜１００ｂａｒ、好ましくは１５〜７５ｂａｒ、特に好ましくは２５〜５０ｂａｒの圧力で行われることを特徴とする、請求項１〜１０のいずれか１項に記載の方法。
【請求項１２】
グリセロール、好ましくは粗製グリセロールを含有する物質混合物のプロパノールへの固定床反応器（２）中における触媒変換のための装置（１）であって、装置が触媒を備え、触媒の基材が無機材料及び／又は金属酸化物を含み、基材が１０〜２５Å、好ましくは１２〜２０Å、特に好ましくはおおよそ１５Åの表面における孔径を備え、好ましくは、基材が押出ペレットであり、好ましくはセラミックであり、触媒がシリコタングステン酸又はリンタングステン酸を含むことを特徴とする、装置（１）。
【請求項１３】
触媒の基材がシリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウム、並びに好ましくは白金のドープを含み、好ましくは、固定床反応器（２）が連続的な操作に適していることを特徴とする、請求項１２に記載の装置（１）。
【請求項１４】
グリセロールを含有する物質混合物のための貯蔵コンテナ（３）、
グリセロールを含有する物質混合物中に含有される未溶解の固体及び／又は望ましくない付随する物質を除去するための、ろ過装置（４）、
グリセロールを含有する物質混合物を水で希釈するための第一の混合器（５）、
グリセロールを含有する物質混合物を加熱するための熱交換器（６）、好ましくはエコノマイザー、
グリセロールを含有する物質混合物に水素を添加するための、好ましくは静的な第二の混合器（７）、
固定床反応器中で反応した物質混合物を熱交換器に戻すためのライン（８）、
固定床反応器（２）中で反応した物質混合物から水素を回収するための分離装置（９）、及び好ましくは、回収された水素を圧縮するためのコンプレッサー（１０）、及び／又は
純粋なプロパノール留分を得るための、及び好ましくは、水混合器（１２）中で新しい水と混合するために固定床反応器（２）中で反応した物質混合物からプロセス水を回収するための、好ましくは、このようにして得られた水混合物を混合器（５）に供給する、処理カスケード（１１）
を含むことを特徴とする、請求項１２又は１３に記載の装置（１）。
【請求項１５】
触媒の基材が無機材料及び／又は金属酸化物を含み、基材が１０〜２５Å、好ましくは１２〜２０Å、特に好ましくはおおよそ１５Åの表面における孔径を備え、触媒がシリコタングステン酸又はリンタングステン酸を含むことを特徴とする、グリセロールを含有する物質混合物のプロパノールへの固定床反応器（２）中における触媒変換のための触媒。
【請求項１６】
基材が押出ペレットであり、好ましくはセラミックであり、
好ましくは、触媒の基材がシリコン、タングステン、ジルコニウム及び／又はアルミニウムの混合酸化物、好ましくは二酸化ジルコニウム、アルミノケイ酸塩ゼオライト及び／又はアルミノリン酸塩ゼオライト、好ましくはＶＦＩゼオライト及び／又はＶＰＩ−５ゼオライト、脱アルミニウム化されたＵＳＹゼオライト及び／又は二酸化アルミニウム、並びに好ましくは白金のドープを含むか、及び/又は
触媒が固定床反応器（２）の連続的な操作に適している
ことを特徴とする、請求項１５に記載の触媒。
【請求項１７】
触媒の基材が無機材料及び／又は金属酸化物を含み、触媒の基材の製造のためのベース材料が１０〜２５Å、好ましくは１２〜２０Å、特に好ましくはおおよそ１５Åの表面における孔径を備えること、及び基材にシリコタングステン酸又はリンタングステン酸が提供されることを特徴とする、グリセロールを含有する物質混合物のプロパノールへの固定床反応器中における触媒変換のための触媒を製造するための方法。
【請求項１８】
シリコン、タングステン、ジルコニウム及び／又はアルミニウムの混合酸化物、好ましくは二酸化ジルコニウム、アルミノケイ酸塩及び／又はアルミノリン酸塩ゼオライト、好ましくはＶＦＩゼオライト及び／又はＶＰＩ−５ゼオライト、及び／又は二酸化アルミニウムが、基材のためのベース材料として使用されることを特徴とする、請求項１７に記載の方法。
【請求項１９】
触媒の基材が無機材料及び／又は金属酸化物を含み、触媒の基材の製造のためのベース材料がＵＳＹゼオライトを含み、触媒の基材が１０〜２５Å、好ましくは１２〜２０Å、特に好ましくはおおよそ１５Åの表面における孔径を備えるように、ＵＳＹゼオライトが脱アルミニウム化されること、及び基材にシリコタングステン酸又はリンタングステン酸が提供されることを特徴とする、グリセロールを含有する物質混合物のプロパノールへの固定床反応器中における触媒変換のための触媒を製造するための方法。
【請求項２０】
触媒の製造が以下の工程：
有機バインダーを組み込む工程であって、有機バインダーが後に残余物なく燃やされ、好ましくは、有機バインダーがベース材料中に組み込まれ、好ましくは、ベース材料が粉末形態であり、次いで、これらが均一に混練されてベース化合物を形成し、ポリマー、好ましくはポリスチレンと水との、好ましくは分散体、特に好ましくはナノ分散体が有機バインダーとして使用され、好ましくは、分散体のポリマー含有量が５ｗｔ％より少なく、特に好ましくは１ｗｔ％より少ない工程、
好ましくは、５〜１２０ｂａｒ、特に好ましくは２０〜１００ｂａｒ、より一層好ましくは４０〜８０ｂａｒの圧力の下で、１〜８ｍｍ、好ましくは２〜６ｍｍ、特に好ましくは３〜４ｍｍの直径に、及び／又は０．２５〜４ｃｍ、好ましくは０．４〜３ｃｍ、特に好ましくは０．５〜２ｃｍの長さにペレットを押し出して、好ましくは、４００〜１０００℃、好ましくは５００〜７５０℃、より一層好ましくは６００℃の温度で、２４〜１６８ｈ、好ましくは３６〜９６ｈ、より一層好ましくは４８ｈの期間、ペレットを調整する工程、
１０００ｇの基材材料当たり、好ましくは、０．５〜３Ｌ、好ましくは１．５Ｌの、１５〜３００ｍｍｏｌ／Ｌ、好ましくは７５ｍｍｏｌ／ＬのＨ２ＰｔＣｌ６・６Ｈ２Ｏの水溶液を用いて、押し出しされた基材に白金を含浸させて、好ましくは次いで、６０℃〜１２０℃、好ましくは９０℃で乾燥して、好ましくは次いで、６〜２４ｈ、好ましくは１２ｈの間、２５０〜４５０℃、好ましくは４００℃で焼成する工程、及び／又は
白金をドープした基材に、０．５〜３Ｌ、好ましくは１．５Ｌの、２５〜１００ｍｍｏｌ／Ｌ、好ましくは５０ｍｍｏｌ／Ｌの、脱水触媒の表面固定のための水性シリコタングステン酸を含浸させて、好ましくは次いで、６０℃〜１２０℃、好ましくは９０℃で乾燥して、好ましくは次いで、２５０〜４５０℃、好ましくは３５０℃で、６〜２４ｈ、好ましくは１２ｈの間、焼成する工程
のうち１つ又は複数を含むことを特徴とする、請求項１７〜１９のいずれか１項に記載の方法。
【国際調査報告】
2021516608.tif 000012
2021516608.tif 000013
2021516608.tif 000014
2021516608.tif 000015
2021516608.tif 000016